(57)【特許請求の範囲】
【請求項１】
噴出孔を有する管部材を少なくとも一部に用いて型枠外し前の基礎の上方にシート支持用骨組を組み立て、この骨組上にシートを被せるとともに、前記管部材に加熱気体を供給し、前記噴出孔から加熱気体を吹き出させることを特徴とする建物基礎の加熱養生工法。
【請求項２】
請求項１に記載の建物基礎の加熱養生工法において、前記基礎のうち内部側の基礎上に当該基礎を跨ぐ脚部材を配置し、この脚部材上に前記骨組の棟となる部材を横架し、前記棟となる部材の側を最上にして前記シートを傾斜配置することを特徴とする建物基礎の加熱養生工法。
【請求項３】
請求項２に記載の建物基礎の加熱養生工法において、前記棟となる部材の側を最上にして前記噴出孔を有する管部材を傾斜配置することを特徴とする建物基礎の加熱養生工法。
【請求項４】
請求項１乃至請求項３のいずれかに記載の建物基礎の加熱養生工法において、前記噴出孔を有する管部材の先端に設けたフックにて、当該管部材を横架部材に係合することを特徴とする建物基礎の加熱養生工法。
【請求項５】
請求項１乃至請求項４のいずれかに記載の建物基礎の加熱養生工法において、前記噴出孔を有する管部材をその噴出孔が横側に位置するように配置することを特徴とする建物基礎の加熱養生工法。
【請求項６】
請求項１乃至請求項５のいずれかに記載の建物基礎の加熱養生工法において、前記噴出孔を有する管部材として、外管と内管とから成る長さが可変の管部材を用いることを特徴とする建物基礎の加熱養生工法。
【請求項７】
請求項１乃至請求項６のいずれかに記載の建物基礎の加熱養生工法において、前記噴出孔を有する管部材として、管路がＴ字形状を成すものを用いることを特徴とする建物基礎の加熱養生工法。
【発明の詳細な説明】
【０００１】
【産業上の利用分野】
この発明は、建物基礎の加熱養生工法に関する。
【０００２】
【従来の技術】
建物の基礎を施工する方法としては、土地上に型枠を組み立て、この型枠内にコンクリートを打設し、自然に乾燥するのを待つのが一般的であるが、特に寒冷地などの比較的コンクリートの固まり方が遅い地域では、打設したコンクリートを加熱して硬化を速め、施工期間の短縮を図ることが試みられている。
【０００３】
図７（ａ）は、従来の建物基礎の加熱養生工法を示した説明図である。この加熱養生工法では、最も外側に位置する基礎型枠を囲むように蛇腹状の蒸気ダクト５０を配置し、蒸気供給装置５１から蒸気ダクト５０に蒸気を供給し、この蒸気ダクト５０に形成されている穴から蒸気を吹き出すようにしている。なお、図示はしていないが、防水シートや保温シートにて基礎施工領域の全体を覆うようにしており、また、これらシートの落ち込みを防止するために、基礎施工領域上に骨組みを組み立てるようにしている。
【０００４】
【発明が解決しようとする課題】
しかしながら、上記従来の建物基礎の加熱養生工法では、最も外側に位置する基礎を囲むように蛇腹状の蒸気ダクト５０を配置するのみであり、内部側の基礎へ効率的に蒸気を供給することができない。一方、図７（ｂ）に示すように、蒸気ダクト５０を基礎の内部側に配置することによって内部側の基礎へも蒸気を導くことが考えられるが、基礎の立ち上がり部５２と土間コンクリート５３とを一体で打設する工法においては、打設直後の土間コンクリート５３上に蒸気ダクト５０を置くことができない。
【０００５】
この発明は、上記の事情に鑑み、ダクトを基礎の内部側へ導入することなしに内部側の基礎へ効率的に加熱気体を供給することができ、また、土間コンクリートを打設する場合でも、この土間コンクリートに対して加熱養生を施すことができる建物基礎の加熱養生工法を提供することを目的とする。
【０００６】
【課題を解決するための手段】
この発明の建物基礎の加熱養生工法は、上記の課題を解決するために、噴出孔を有する管部材を少なくとも一部に用いて型枠外し前の基礎の上方にシート支持用骨組を組み立て、この骨組上にシートを被せるとともに、前記管部材に加熱気体を供給し、前記噴出孔から加熱気体を吹き出させることを特徴とする。
【０００７】
上記の構成であれば、基礎の上方にシート支持用骨組が組み立てられ、当該シート支持用骨組は基礎の内部側にも存在することになり、このシート支持用骨組の少なくとも一部には噴出孔を有する管部材が存在し、この管部材の噴出孔から加熱気体が吹き出るため、ダクトを基礎の内部側へ導入することなしに内部側の基礎へ効率的に加熱気体を供給することができ、また、土間コンクリートを打設する場合でも、この土間コンクリートに対して加熱養生を施すことができる。
【０００８】
前記基礎のうち内部側の基礎上に当該基礎を跨ぐ脚部材を配置し、この脚部材上に前記骨組の棟となる部材を横架し、前記シートが前記棟となる部材を最上にして傾斜配置されるのがよい。これによれば、雨水がシート上に溜まるのを防止できる。また、供給された加熱気体としての蒸気が冷えてシート裏面側で水滴になっても、この水滴は基礎外側へと導かれることになる。
【０００９】
前記棟となる部材の側を最上にして前記噴出孔を有する管部材を傾斜配置するのがよい。これによれば、管部材に供給された加熱気体としての蒸気が冷えて水となったとき、この水は傾斜配置された管部材内で前記棟とは反対側へと流れていき、基礎の内部側へと前記水が流れて漏れ出るといった事態を防止することができる。
【００１０】
前記噴出孔を有する管部材の先端に設けたフックにて、当該管部材を横架部材に係合するのがよい。これによれば、作業者が基礎の内部側へ入らなくても（土間コンクリートを施す場合でも）前記管部材の設置が可能となる。
【００１１】
前記噴出孔を有する管部材をその噴出孔が横側に位置するように配置するのがよい。これによれば、管部材に供給された加熱気体としての蒸気が冷えて水となったとき、この水が噴出孔から垂れ出てしまうのを防止することができる。
【００１２】
前記噴出孔を有する管部材として、外管と内管とからなる長さが可変の管部材を用いるのがよい。これによれば、様々な建物形状及び敷地形状に対応することができる。
【００１３】
前記噴出孔を有する管部材として、管路がＴ字形状を成すものを用いるようにしてもよい。
【００１４】
【発明の実施の形態】
以下、この発明の実施形態の建物基礎の加熱養生工法を図１乃至図６に基づいて説明していく。
【００１５】
図１では、土地１上に配置した型枠２内に基礎３となるコンクリートを打設した状態を示している。この例では、基礎３の立ち上がり部３１と土間コンクリート３２を一体で打設している。脚部材４は基礎３の内部側の立ち上がり部３１（３１ａ）を跨ぐように配置してあり、この脚部材４上に棟となる棒状部材５を横架している。具体的には、脚部材４は、図２に示すように、立ち上がり部３１ａに沿って所定間隔で複数配置されており、その上部に設けられた留め具にて前記棒状部材５を連結している。土間コンクリート３２を打設する場合においては、例えば、前記脚部材４の下端部を挿入させる筒部材６を配置しておくことで、当該下端部が土間コンクリート３２にて固定されてしまうのを回避することができる。或いは、筒部材６に代えて柱状部材を配置しておき、この柱状部材の上端面に前記脚部材４の下端部を載せておくこととしてもよい。或いは、脚部材４の脚部下端を分離可能に形成しておき、この分離部分は土間コンクリート３２に残すこととしてもよい。一方、土間コンクリート３２を打設しない場合には、上記筒部材等は不要である。
【００１６】
前記脚部材４に棒状部材５を連結したら、図３に示しているように、この棒状部材５に蒸気導入管７の一端側を引っかける作業を行う。この実施形態では、図４に示すように、蒸気導入管７の一端側にフック部材９を設けており、このフック部材９を用いて蒸気導入管７を棒状部材５に引っかけている。掛け渡された蒸気導入管７は、前記棒状部材５側が最上となり、基礎外側ほど低く位置する傾斜配置となる。基礎外側に支持棒材８を配置し、この支持棒材８にて蒸気導入管７の他端側を支持する場合には、当該支持棒材８の配置高さを棒状部材５の配置高さよりも低くして蒸気導入管７の傾斜配置を確保する。
【００１７】
蒸気導入管７には、多数の噴出口７ａ…が所定間隔で形成されている。噴出口７ａ…は、前記フック部材９を用いて蒸気導入管７を棒状部材５に掛け渡した状態で、左右（横側）に位置するようにしてある。
【００１８】
蒸気導入管７の他端側には蒸気供給分岐ホース１０を装着しておく。この蒸気供給分岐ホース１０は蒸気ダクト１１から分岐されたものである。蒸気ダクト１１は、基礎の外周を囲むように地面上に配置されたものである。この蒸気ダクト１１には図示しない蒸気供給装置から蒸気が供給される。なお、蒸気ダクト１１にも図示しない噴出口が形成されている。
【００１９】
上記脚部材４、棒状部材５、蒸気導入管７、支持棒材８等を連結していくことにより、シート支持用骨組が組み立てられることになる。このシート支持用骨組上に、まず、ブルーシート１２を被せ、このブルーシート１２上に保温シート１３を被せる。シート支持用骨組を構成する前記蒸気導入管７は基礎外側ほど低く位置する傾斜配置となっているので、これらシート１２・１３も基礎外側ほど低く位置することになる。そして、上記保温シート１３上にネット１４を被せ、このネット１４の端を杭１５で地面に固定する。かかる作業の後、蒸気供給装置５１を駆動して蒸気を蒸気ダクト１１に供給することで、この蒸気は蒸気導入管７に至り、その噴出口７ａから吹き出し、基礎内部側への均一に供給されることになる。
【００２０】
このように、基礎３上にシート支持用骨組を組み立てており、このシート支持用骨組は基礎３の内部側にも存在することになり、このシート支持用骨組には噴出口７ａを有する蒸気導入管７が存在しており、この蒸気導入管７の噴出口７ａから蒸気が吹き出るため、蒸気ダクト１１を基礎３の内部側へ導入することなしに内部側の基礎３へ効率的に蒸気を供給することができ、また、土間コンクリート３１を打設する場合でも、この土間コンクリート３１に対して加熱養生を施すことができることになる。
【００２１】
前記シート１２・１３は基礎外側ほど低く位置するようにしているので、雨水がシート上に溜まるのを防止することができ、更に、供給された蒸気が冷えてシート裏面側で水滴になっても、この水滴は基礎外側へと導かれることになる。また、蒸気導入管７は、前記棒状部材５側が最上となり、基礎外側ほど低く位置する傾斜配置となるので、蒸気導入管７に供給された蒸気が冷えて水となったとき、この水は傾斜配置された蒸気導入管７内で前記棟となる棒状部材５とは反対側へと流れていき、基礎３の内部側へと前記水が流れて漏れ出るといった事態を防止することができる。
【００２２】
また、蒸気導入管７の一端側にフック部材９を設けており、このフック部材９を用いて蒸気導入管７を棒状部材５に引っかけているので、作業者が基礎の内部側（土間コンクリート３２の打設箇所）へ入らなくても前記蒸気導入管７の設置が可能となる。
【００２３】
また、前記フック部材９を用いて蒸気導入管７を棒状部材５に掛け渡した状態で、噴出口７ａ…が左右（横側）に位置するようにしてあるので、蒸気導入管７に供給された蒸気が冷えて水となったとき、この水が噴出口７ａ…から垂れ出てしまうのを防止することができる。
【００２４】
図５（ａ）においては、略Ｔ字状を成す蒸気導入管１７を用い、この蒸気導入管１７を基礎３の立ち上がり部３１・３１間に掛け渡している。蒸気導入管１７はその略中程にＴ型継ぎ手部１７ａを有しており、このＴ型継ぎ手部１７ａに蒸気供給分岐ホース１０が接続されている。この蒸気供給分岐ホース１０は、蒸気導入管１７に連結された支持棒部材１８に結束されており、この結束によって垂れ下がりが防止されている。支持棒部材１８の他端は例えば先述の支持棒材８に連結される。Ｔ型継ぎ手部１７ａは、図５（ｂ）に示すように、前記蒸気供給分岐ホース１０の吹き出し口に対して真っ直ぐに位置する噴出口１７ｂを有している。この噴出口１７ｂからは勢いよく蒸気が吹き出ることになり、蒸気導入管７における蒸気吹き出し不足を補うことが可能である。
【００２５】
図６（ａ）には、伸縮自在な蒸気導入管２０を示しており、同図（ｂ）には伸縮自在な支持棒部材２１を示している。蒸気導入管２０は内管２０ａと外管２０ｂとから成り、各々に噴出口２０ｃ…が等ピッチで形成されている。蒸気導入管２０を適当な長さに設定し、内管２０ａと外管２０ｂの噴出口２０ｃを位置合わせしてピン２０ｄを挿入すると、その設定長さを固定することができる。また、支持棒部材２１は内管２１ａと外管２１ｂとから成り、外管２１ｂの側面には所定間隔で貫通穴が形成されており、この貫通穴形成箇所にナット２１ｃが溶接によって固着されている。支持棒部材２１を適当な長さに設定し、ナット２１ｃに蝶ねじ２１ｄをねじ込むと、その設定長さを固定することができる。これら伸縮自在な蒸気導入管２０や支持棒部材２１を用いることで、様々な建物形状及び敷地形状に対応することができる。
【００２６】
なお、上記の例では、加熱気体として蒸気を用いたが、これに限るものではなく、加熱空気を用いてもよい。また、シート支持用骨組の一部に蒸気導入管を用いたが、シート支持用骨組の全てを蒸気導入管によって構成することも可能である。
【００２７】
【発明の効果】
以上説明したように、この発明によれば、基礎の上方に組み立てたシート支持用骨組の少なくとも一部に噴出孔を有する管部材が存在し、この管部材の噴出孔から加熱気体が吹き出るため、ダクトを基礎の内部側へ導入することなしに内部側の基礎へ効率的に加熱気体を供給することができ、また、土間コンクリートを打設する場合でも、この土間コンクリートに対して加熱養生を施すことができる。しかも、シート支持用骨組が加熱気体吹き出しの機能を果たすことになるから、加熱気体吹き出しのために余計な施工が生じるものではなく、効率的に建物基礎の加熱養生が行えることになる。
【図面の簡単な説明】
【図１】この発明の実施形態の建物基礎の加熱養生工法を示す説明図である。
【図２】基礎立ち上がり部に脚部材を配した状態の斜視図である。
【図３】脚部材に横架した棒状部材に蒸気導入管を掛け渡した状態の斜視図である。
【図４】蒸気導入管の先端部のフックを拡大して示した斜視図である。
【図５】同図（ａ）は基礎立ち上がり部にＴ字状の蒸気導入管を配した状態の斜視図であり、同図（ｂ）はＴ字状の蒸気導入管の断面図である。
【図６】同図（ａ）は伸縮自在な蒸気導入管の斜視図であり、同図（ｂ）は伸縮自在な支持棒部材の斜視図である。
【図７】従来例を示す図であって、同図（ａ）は建物基礎の加熱養生工法の説明図であり、同図（ｂ）は一部分拡大図である。
【符号の説明】
３    基礎
４    脚部材
５    棒状部材
７    蒸気導入管
７ａ  噴出口
９    フック部材
１０  蒸気供給分岐ホース
１１  蒸気ダクト
【図１】
0003869710.tif 000002
【図２】
0003869710.tif 000003
【図３】
0003869710.tif 000004
【図４】
0003869710.tif 000005
【図５】
0003869710.tif 000006
【図６】
0003869710.tif 000007
【図７】
0003869710.tif 000008